(57)【要約】      （修正有）【課題】光ディスクトレイの光ヘッドガイド溝上にロックとロック解除が可能なロック装置を設置して光ディスク装置で任意にデータ読み取りまたは記録をできないようにし、それに起因するあらゆる損失を防止する、光ディスク装置のロック装置を提供する。【解決手段】ロック本体１０と、ロックシリンダとを含み、ロック本体は、座部１１と、少なくとも１つの固定板１２とを備え、座部１１に収容槽が設けられ、かつ座部は光ディスクトレイ７１の光ヘッド摺動溝７４中に設置され、固定板１２が前記光ヘッド摺動溝両側の光ディスクトレイ上面に対応し、ロックシリンダは、収容槽内に設置され、少なくとも１つのロック片が接続され、それにより、ロック片を光ヘッド摺動溝に相対して動かし、選択的にロック固定及びロック解除を行う。【選択図】図１７
0003143953.tif 000002
【実用新案登録請求の範囲】
【請求項１】
光ディスク装置のロック装置であって、
ロック本体（１０）と、ロックシリンダ（２０）とを含み、
前記ロック本体（１０）は、
座部（１１）と、少なくとも１つの固定板（１２）とを備え、
前記座部（１１）には収容槽（１１１）が設けられ、かつ前記座部（１１）は光ディスクトレイ（７１）の光ヘッド摺動溝（７４）中に設置され、前記固定板（１２）が前記光ヘッド摺動溝（７４）両側の光ディスクトレイ（７１）上面に対応し、
前記ロックシリンダ（２０）は、
前記収容槽（１１１）内に設置され、かつ少なくとも１つのロック片（２４）が接続され、
それにより、前記ロック片（２４）を前記光ヘッド摺動溝（７４）に相対して動かし、選択的にロック固定及びロック解除を行うことを特徴とする、光ディスク装置のロック装置。
【請求項２】
前記ロック本体（１０）が前記収容槽（１１１）に対応して封鎖する第１上蓋（１３）を備え、前記第１上蓋（１３）が貫通孔（１３１）を有し、かつ少なくとも１つのピン部（１３２）が下方向に設けられ、前記収容槽（１１１）内に挿入されることを特徴とする、請求項１に記載の光ディスク装置のロック装置。
【請求項３】
前記貫通孔（１３１）の内壁に少なくとも１つの凸部（１３３）を設けたことを特徴とする、請求項２に記載の光ディスク装置のロック装置。
【請求項４】
前記ロック本体（１０）が前記第１上蓋（１３）の外周を囲んで設けられた少なくとも１つの第２上蓋（１４）を備え、前記第２上蓋（１４）の両側に少なくとも１つのツメ部（１４２）をそれぞれ設けたことを特徴とする、請求項２に記載の光ディスク装置のロック装置。
【請求項５】
前記第２上蓋（１４）の両側に少なくとも１つの垂下板（１４３）をそれぞれ設け、前記座部（１１）の外側に密着させることを特徴とする、請求項４に記載の光ディスク装置のロック装置。
【請求項６】
前記第１上蓋（１３）に前記貫通孔（１３１）と相通された少なくとも１つの第２切欠口（４３３）を設けたことを特徴とする、請求項２に記載の光ディスク装置のロック装置。
【請求項７】
前記ロックシリンダ（２０）が、凹槽（２１１）を備えた軸回転体（２１）と、前記軸回転体（２１）の外側に連結された少なくとも１つのアーム部（２２）を含み、前記アーム部（２２）上に開設された溝部（２２１）に前記ロック片（２４）が連結されることを特徴とする、請求項１または３に記載の光ディスク装置のロック装置。
【請求項８】
前記凹槽（２１１）内に少なくとも１つの突出部（２３）を設けたことを特徴とする、請求項７に記載の光ディスク装置のロック装置。
【請求項９】
前記軸回転体（２１）の周壁に少なくとも１つの第３切欠口（５３）を開設し、かつ、前記凹槽（２１１）内に軸孔を設けたことを特徴とする、請求項７に記載の光ディスク装置のロック装置。
【請求項１０】
前記ロック片（２４）に枢着部（２４１）を設けたことを特徴とする、請求項７に記載の光ディスク装置のロック装置。
【請求項１１】
前記アーム部（２２）と収容槽（１１１）のいずれかにガイド凸部（５８）を設け、他方にガイド凹部（５９）を設け、前記ガイド凸部（５８）が前記ガイド凹部（５９）に対応することを特徴とする、請求項７に記載の光ディスク装置のロック装置。
【請求項１２】
さらに操作キー（３０）を含み、前記操作キー（３０）の一端に前記突出部（２３）に対応して合致する少なくとも１つの第１切欠口（３２）を設け、前記ロックシリンダ（２０）を動かして作動させることを特徴とする、請求項８に記載の光ディスク装置のロック装置。
【請求項１３】
前記突出部（２３）と前記第１切欠口（３２）の数量には制限がなく、かつ各組の突出部（２３）の凹槽（２１１）内における角度に異なる変化をもたせることができ、すなわち、各組の第１切欠口（３２）が前記各組の突出部（２３）に合致し、異なる組の操作キー（３０）で前記ロックシリンダ（２０）を駆動できないよう防止することを特徴とする、請求項１２に記載の光ディスク装置のロック装置。
【請求項１４】
さらに操作キー（３０）を含み、前記操作キー（３０）の一端に前記第３切欠口（５３）に対応して合致する少なくとも１つの突出部（２３）を設けたことを特徴とする、請求項９に記載の光ディスク装置のロック装置。
【請求項１５】
前記突出部（２３）と前記第１切欠口（３２）の数量には制限がなく、かつ各組の突出部（２３）の凹槽（２１１）内における角度に異なる変化をもたせることができ、すなわち、各組の第１切欠口（３２）が前記各組の突出部（２３）に合致し、異なる組の操作キー（３０）で前記ロックシリンダ（２０）を駆動できないよう防止することを特徴とする、請求項１４に記載の光ディスク装置のロック装置。
【請求項１６】
前記収容槽（１１１）に少なくとも１つの当接部（１１２）と少なくとも１つの挿入孔（１１３）を設けたことを特徴とする、請求項１または２に記載の光ディスク装置のロック装置。
【請求項１７】
前記収容槽（１１１）に凹陥部（１１４）を設けたことを特徴とする、請求項１６に記載の光ディスク装置のロック装置。
【請求項１８】
前記収容槽（１１１）に中心軸棒（４１４）を設けたことを特徴とする、請求項１６に記載の光ディスク装置のロック装置。
【請求項１９】
前記固定板（１２）に嵌合部（６１）を設けたことを特徴とする、請求項１に記載の光ディスク装置のロック装置。
【請求項２０】
さらに少なくとも１つの付属板部材（６２）を含み、前記付属板部材（６２）が第１部位（６２１）と第２部位（６２２）を備え、前記第１部位（６２１）が前記嵌合部（６１）に嵌合され、前記第２部位（６２２）が前記座部（１１）外側に密着されることを特徴とする、請求項１９に記載の光ディスク装置のロック装置。
【請求項２１】
前記嵌合部（６１）表面に複数の凹凸横線（６１２）が形成され、前記第１部位（６２１）に前記凹凸横線（６１２）に対応して弾性ツメ（６２１１）を設けたことを特徴とする、請求項２０に記載の光ディスク装置のロック装置。
【請求項２２】
前記各付属板部材（６２）の第２部位（６２２）が座部（１１）と光ヘッド摺動溝（７４）間の幅の差に基づいて異なる厚さの変化を有することを特徴とする、請求項２０に記載の光ディスク装置のロック装置。
【請求項２３】
前記各第２上蓋（１４）の垂下板（１４３）が座部（１１）と光ヘッド摺動溝（７４）間の幅の差に基づいて異なる厚さの変化を有することを特徴とする、請求項５に記載の光ディスク装置のロック装置。
【考案の詳細な説明】
【技術分野】
【０００１】
本考案は、光ディスク装置のロック装置に関し、特に光ディスクトレイ上の光ヘッド摺動溝に固定して光ディスク装置のトランスポートをロックするロック装置に関する。
【背景技術】
【０００２】
これまでに例えば台湾特許証書番号Ｍ３０４０９６号の「コンピュータ用の光ディスク装置用ロック」などがあるが、これはＵ字形ロック本体を備え、このロック本体に第１端部、第２端部の２つの側面部が設けられ、第１端部上に槽孔が形成され、槽孔の中心点からＵ字形ロック本体の内側凹縁底部の距離が、光ディスク装置トレイ搭載エリアの半径より大きく、第２端部上にロックシリンダ座体と穿通孔が設けられ、かつ第１端部、第２端部の２つの側面部間の距離が、光ディスク装置トレイの厚さより大きい。
【０００３】
さらにこの装置は、ロックシリンダを含み、ロックシリンダが、Ｕ字形ロック本体の第２端部のロックシリンダ座体に設置され、ロックシリンダが軸部を備え、軸部の第１端にキー孔座体が設置され、第２端が、Ｕ字形ロック本体の第２端部上の穿通孔を貫通して第１端部の槽孔に挿入されて固定される。
【０００４】
Ｕ字形ロック本体の第２端部の穿通孔側縁部と軸部１側の相対する箇所に少なくとも１つのバネとピンの収容空間が設けられ、収容空間にピンが嵌入されると、軸部の第２端がＵ字形ロック本体の第１端部の槽孔に挿入されて固定され、かつＵ字形ロック本体の外側円弧箇所に貫通孔を備えた凸部が設けられ、かつ固定された平面に設置された穿通孔を有する固定座体とケーブルが設けられ、ケーブルの二端がそれぞれ凸部の貫通孔と固定座体の穿通孔に穿入されて両者が接続される。
【０００５】
このロック装置により、許可を持たない者が、コンピュータ上の光ディスク装置を使用できないようにし、データを盗み出すことが困難となる。
【０００６】
しかしながら、このロック装置は、実際に使用上の問題が存在し、ロック本体を光ディスクトレイ上に固定すると、光ディスクトレイが光ディスク装置内から伸出された際に、不注意に外から衝撃を受けると、光ディスクトレイが破損して使用できなくなってしまうおそれがある。
【０００７】
また、光ディスクトレイが、光ディスク装置内に収納されていることで光ディスク装置が占領されるスペースが減少し、かつ埃などが光ディスクトレイ上に付着するのを少なくすることができるが、ロック本体を取り付けるために光ディスクトレイを光ディスク装置内から伸出させなければならず、却ってスペースを取り、かつ汚れが付着しやすくなるため、使用者のニーズを満たすことができない。
【０００８】
そのため、上述の各種欠点に鑑みて、本考案の考案者は関連産業に従事した長年の経験に基づき研究を重ねて改良を施し、本考案である光ディスク装置のロック装置の開発に至ったものである。
【特許文献１】台湾特許証書番号Ｍ３０４０９６号
【考案の開示】
【考案が解決しようとする課題】
【０００９】
上述の問題を解決するため、本考案の目的とするところは、光ディスクトレイの光ヘッドガイド溝上にロックとロック解除が可能なロック装置を設置して、光ディスク装置で任意にデータの読み取りやデータ記録をできないようにする光ディスク装置のトランスポートのロック装置を提供することにある。
【００１０】
また、この発明の他の目的並びに作用効果については、明細書の以下の記述を参照することにより、当業者であれば容易に理解されるであろう。
【課題を解決するための手段】
【００１１】
本考案の光ディスク装置のロック装置は、ロック本体と、ロックシリンダとを含み、前記ロック本体は、座部と、少なくとも１つの固定板とを備え、前記座部に収容槽が設けられ、かつ前記座部は光ディスクトレイの光ヘッド摺動溝中に設置され、前記固定板が前記光ヘッド摺動溝両側の光ディスクトレイ上面に対応し、前記ロックシリンダは、収容槽内に設置され、少なくとも１つのロック片が接続され、それにより、前記ロック片を光ヘッド摺動溝に相対して動かし、選択的にロック固定及びロック解除を行うことができる。
【考案の効果】
【００１２】
本考案を光ディスクトレイ上に固定すると、悪意ある人物が光ディスク装置でデータの読み取りやデータ保存を行うことができないよう防止することができ、かつ、光ディスク装置の正常な開閉状態を維持することができる。
【考案を実施するための最良の形態】
【００１３】
以下に本考案の好適な実施形態を、添付図面を参照しながら詳細に説明する。
【実施例１】
【００１４】
本考案の一実施形態である光ディスク装置のロック装置は、図１から図３に示されるように、ロック本体１０及びロックシリンダ２０を含み、ロック本体１０は、座部１１と、座部１１上方に両外側に向かって張り出した少なくとも１つの固定板１２を含み、座部１１には収容槽１１１が設けられている。
【００１５】
収容槽１１１内には、少なくとも１つの当接部１１２と少なくとも１つの挿入孔１１３が形成され、さらに収容槽１１１内底面に凹陥部１１４が形成され、かつ収容槽１１１の開口付近に少なくとも１つの通孔１１５が開設されている。
【００１６】
ロックシリンダ２０は、収容槽１１１内に組み込まれ、軸回転体２１と少なくとも１つのアーム部２２を含み、軸回転体２１は凹陥部１１４に対応して設置され、かつ、凹槽２１１を備え、凹槽２１１内には少なくとも１つの突出部２３が設けられている。
【００１７】
アーム部２２は、軸回転体２１の外側に接続され、溝部２２１が開設される。少なくとも１つのロック片２４の一端に枢着部２４１が設けられ、溝部２２１に対応して連結されている。
【００１８】
第１上蓋１３は、貫通孔１３１を備え、かつ少なくとも１つのピン部１３２が下方向に設けられ、ピン部１３２は、挿入孔１１３に挿入されて収容槽１１１が封鎖される。
【００１９】
第２上蓋１４は、窓部１４１を備え、かつ第２上蓋１４の外枠の相対する２辺に少なくとも１つのツメ部１４２がそれぞれ設けられている。第２上蓋１４は、第１上蓋１３の外枠に組み込まれ、かつツメ部１４２が、収容槽１１１開口箇所の通孔１１５に対応して嵌入され固定されている。
【００２０】
また、本考案の一実施形態である光ディスク装置のロック装置は、図４から図６に示されるように、第２上蓋１４の外枠の相対する２辺には、少なくとも１つのツメ部１４２が設置されるほか、さらに垂下板１４３を増設してもよく、垂下板１４３を通孔１１５に貫通させ、座部１１の外側に密着させる。
【００２１】
図７から図９に示されるように、操作キー３０は、延伸部３１を備え、延伸部３１が第１上蓋１３の貫通孔１３１に穿入され、軸回転体２１の凹槽２１１に対応して挿入される。
【００２２】
延伸部３１の一端には、突出部２３に合致する少なくとも１つの第１切欠口３２が設けられ、これにより操作キー３０でロックシリンダ２０を動かすことができる。
【００２３】
突出部２３と第１切欠口３２の数は、特に制限がなく、かつ、図９に示されるように、凹槽２１１内に設けられる突出部２３の位置も異なるように設けてもよい。
【００２４】
これにより、突出部２３と第１切欠口３２について、多くの異なる組み合わせを形成することができ、各組の突出部２３と第１切欠口３２が相互に合致したときのみ、ロックシリンダが駆動するため、両者が異なる組み合わせの操作キー３０では、ロックシリンダを駆動できないようにすることができる。
【００２５】
本考案の一実施形態である光ディスク装置のロック装置は、図１０、図１１に示されるように、上述したように突出部２３と第１切欠口３２について多くの異なる組み合わせを形成するのほか、第１上蓋１３の貫通孔１３１に別途少なくとも１つの凸部１３３を設け、操作キー３０の延伸部３１の凸部１３３に対応する箇所に少なくとも１つの凹溝３３を設けてもよい。
【００２６】
操作キー３０の延伸部３１の凸部１３３に対応する箇所に少なくとも１つの凹溝３３を設け、これにより突出部２３、第１切欠口３２、凸部１３３及び凹溝３３の組み合わせで、操作キー３０とロック本体１０により多くの組み合わせを形成し、異なる組の操作キー３０では、ロックシリンダ２０を駆動できないようにすることができる。
【実施例２】
【００２７】
本考案の一実施形態である光ディスク装置のロック装置は、図１２から図１４に示されるように、全体構造と各部材間の組み立ては、ほぼ前記の実施形態と同じであるため、同一の構造と部材符号についてここでは説明を省略する。
【００２８】
本考案の一実施形態である光ディスク装置であるロック装置は、収容槽１１１内に中心軸棒４１４が設けられ、軸回転体２１の凹槽２１１に、図では遮られて見えないが、軸孔が設けられている。
【００２９】
軸孔に中心軸棒４１４を穿通させてロックシリンダ２０を収容槽１１１内に設置し、また軸回転体２１の周壁に少なくとも１つの第３切欠口５３を開設し、第３切欠口５３に対応する第１上蓋１３の箇所に少なくとも１つの第２切欠口４３３を開設し、かつ第２切欠口４３３と貫通孔１３１を相通させる。
【００３０】
さらに、固定板１２は嵌合部６１を備え、嵌合部６１には少なくとも１つの付属板部材６２が対応して嵌め込まれる。
【００３１】
嵌合部６１表面には、複数の凹凸横線６１２が設けられ、付属板部材６２は第１部位６２１と第２部位６２２を備え、第１部位６２１が嵌合部６１に嵌置され、第２部位６２２が座部１１の外側に密着し、かつ第１部位６２１の凹凸横線６１２に対応する箇所に弾性ツメ６２１１が設けられている。
【００３２】
また、本考案の一実施形態においては、収容槽１１１とアーム部２２のいずれか一方にガイド凸部５８が設置され、他方にガイド凹部５９が設けられるようにしてもよい。
【００３３】
図１２に示されるように、ガイド凸部５８が、収容槽１１１底部表面に設けられ、ガイド凹部５９が、アーム部２２に設けられており、かつガイド凸部５８がガイド凹部５９に対応している。
【００３４】
これにより、組み立てるときに両者が合致するかどうか識別することができ、誤り防止することができ、さらに、ロックシリンダ２０の作動時において、ガイド凸部５８とガイド凹部５９によってより安定した作動が可能となる。
【００３５】
続いて図１５、図１６に示されるように、操作キー３０の延伸部３１に第２切欠口４３３、及び第３切欠口５３に対応して少なくとも１つの突出部６６が設けられている。
【００３６】
操作キー３０を貫通孔１３１に穿入させると、突出部６６が第２切欠口４３３から通過して第３切欠口５３に合致し、ロックシリンダ２０を作動させることができる。
【００３７】
以下、本考案の一実施形態の応用例について説明する。
【００３８】
図１７、図１８に示されるように、本考案は、光ディスク装置において、トランスポートをロックするために用いられる。ここでいう光ディスク装置は、薄型の光ディスク装置であってもよい。
【００３９】
光ディスク装置の光ディスクトレイ７１には、回転部７２及び光ヘッド７３が設けられている。光ヘッドは、光学読み取り・書き込みヘッドであってもよい。
【００４０】
光ヘッド７３は、摺動溝７４内に設置されており、座部１１も前記摺動溝７４に、光ヘッドと並んで設置されている。すなわち、固定板１２が光ディスクトレイ７１の上面の摺動溝７４に設置されている。
【００４１】
ロック本体１０の高さは、摺動溝７４から露出され、かつ光ディスク装置のトレイ口の上辺に当たらない程度の高さとし、光ディスクトレイ７１を通常通り光ディスク装置内から伸出させたり、光ディスク装置内に収納したりすることができる。
【００４２】
続いて、図１９（Ａ）、図２０（Ａ）に示されるように、操作キー３０を利用してロックシリンダ２０を駆動させる。ロックシリンダ２０が、操作キー３０により駆動されていないときは、ロック片２４は収容槽１１１内に収容される。
【００４３】
図１９（Ｂ）、図２０（Ｂ）に示されるように、操作キー３０を回転させると、軸回転体２１とアーム部２２が駆動し、ロック片２４が連動して収容槽１１１に伸出されて摺動溝７４内にロックされるため、ロック本体１０を光ディスクトレイ７１上に固定することができる。
【００４４】
また、それぞれの実施形態において、座部１１の幅と摺動溝７４との関係は、図２１（Ａ）に示されるように、座部１１がちょうど摺動溝７４内に収容される。
【００４５】
或いは、図２１（Ｂ）、図２１（Ｃ）に示されるように、摺動溝７４の幅が座部１１より大きい場合には、垂下板１４３、或いは付属板部材６２の第２部位６２２で摺動溝７４と座部１１間の幅を補うことができる。
【００４６】
さらに、図２２（Ａ）、図２２（Ｂ）、及び図２３（Ａ）、図２３（Ｂ）に示されるように、摺動溝７４と座部１１の間にそれぞれ異なる幅の差がある場合は、垂下板１４３、及び第２部位６２２で異なる幅の差に応じて厚さの変化をもたせることができる。
【００４７】
上述のように、本考案であるロック装置を光ディスクトレイ上に固定すると、悪意ある人物が光ディスク装置でデータ読み取りやデータ保存をできないようにすることができ、かつ、光ディスク装置の正常な開閉状態を維持することができる。
【図面の簡単な説明】
【００４８】
【図１】本考案の実施例１の立体分解図である。
【図２】本考案の実施例１の立体外観図である。
【図３】本考案の図２の別の角度からの立体外観図である。
【図４】本考案の実施例１の第２上蓋の別の様態の立体分解図である。
【図５】本考案の実施例１の第２上蓋の別の様態の立体外観図である。
【図６】本考案の図５の別の角度からの立体外観図である。
【図７】本考案の実施例１と操作キーの立体分解図である。
【図８】本考案の実施例１と操作キーの立体外観図である。
【図９】本考案の実施例１のロックシリンダの上面図である。
【図１０】本考案の実施例１と操作キーの別の様態の立体分解図である。
【図１１】本考案の実施例１と操作キーの別の様態の立体外観図である。
【図１２】本考案の実施例２の立体分解図である。
【図１３】本考案の実施例２の立体外観図である。
【図１４】本考案の図１３の別の角度からの立体外観図である。
【図１５】本考案の実施例２と操作キーの立体分解図である。
【図１６】本考案の実施例２と操作キーの立体外観図である。
【図１７】本考案のロック本体を光ディスク装置トレイ上に設置する動作の立体図である。
【図１８】本考案のロック本体を光ディスク装置トレイ上に設置した状態の立体図である。
【図１９】本考案の操作キーを作動させる前後の上面図である。
【図２０】本考案のロックシリンダが作動される前後の上面図である。
【図２１】本考案の座部と摺動溝間の様態を示す正面図である。
【図２２】本考案の座部と摺動溝間に異なる幅の差がある状態を示す正面図である。
【図２３】本考案の座部と摺動溝間に異なる幅の差がある状態を示す正面図である。
【符号の説明】
【００４９】
１０      ロック本体
１１      座部
１１１    収容槽
１１２    当接部
１１３    挿入孔
１１４    凹陥部
１１５    通孔
１２      固定板
１３      第１上蓋
１３１    貫通孔
１３２    ピン部
１３３    凸部
１４      第２上蓋
１４１    窓部
１４２    ツメ部
１４３    垂下板
２０      ロックシリンダ
２１      軸回転体
２１１    凹槽
２２      アーム部
２２１    溝部
２３      突出部
２４      ロック片
２４１    枢着部
３０      操作キー
３１      延伸部
３２      第１切欠口
３３      凹溝
４１４    中心軸棒
４３３    第２切欠口
５３      第３切欠口
６１      嵌合部
６１２    凹凸横線
６２      付属板部材
６２１    第１部位
６２２    第２部位
６２１１  弾性ツメ
５８      ガイド凸部
５９      ガイド凹部
６６      突出部
７１      光ディスクトレイ
７２      回転部
７３      光ヘッド
７４      摺動溝
【図１】
0003143953.tif 000003
【図２】
0003143953.tif 000004
【図３】
0003143953.tif 000005
【図４】
0003143953.tif 000006
【図５】
0003143953.tif 000007
【図６】
0003143953.tif 000008
【図７】
0003143953.tif 000009
【図８】
0003143953.tif 000010
【図９】
0003143953.tif 000011
【図１０】
0003143953.tif 000012
【図１１】
0003143953.tif 000013
【図１２】
0003143953.tif 000014
【図１３】
0003143953.tif 000015
【図１４】
0003143953.tif 000016
【図１５】
0003143953.tif 000017
【図１６】
0003143953.tif 000018
【図１７】
0003143953.tif 000019
【図１８】
0003143953.tif 000020
【図１９】
0003143953.tif 000021
【図２０】
0003143953.tif 000022
【図２１】
0003143953.tif 000023
【図２２】
0003143953.tif 000024
【図２３】
0003143953.tif 000025